(57)【要約】  着脱可能な記録媒体が装填されていない場合であっても、あたかも着脱可能な記録媒体が装填されているかのごとくデータを処理することができるドライブ装置を提供する。本発明に係るレコーダ装置（１００）は、記憶部（３４０）を有するドライブ部（３００）を備えている。ドライブ部（３００）は、インターフェース部（３１０）がディスク指定情報と第１の領域指定情報とを含む書き込み命令を、書き込み対象となるデータと共に取得したとき、記憶部（３４０）にデータを書き込むと共に、データが書き込まれた記憶部（３４０）の領域を指定する第２の領域指定情報を、ディスク指定情報および第１の領域指定情報に関連付けてマップテーブルに登録するドライブ制御部（３２０）を備えている。
2010113481.tif 000002
【特許請求の範囲】
【請求項１】
着脱不可能な記録媒体と、
複数の着脱可能な記録媒体のいずれかを指定する媒体指定情報および当該媒体指定情報により指定された指定媒体上の領域を指定する第１の領域指定情報を含む書き込み命令を、上記第１の領域指定情報により指定された指定領域上に書き込むべきデータと共に取得するインターフェースと、
上記インターフェースが上記書き込み命令を取得したとき、上記着脱不可能な記録媒体に上記データを書き込む書込手段と、
上記書込手段により上記データが書き込まれた上記着脱不可能な記録媒体上の領域を指定する第２の領域指定情報を、上記媒体指定情報および上記第１の領域指定情報に関連付けて上記着脱不可能な記録媒体に記録する記録手段と、
を備えていることを特徴とするドライブ装置。
【請求項２】
上記複数の着脱可能な記録媒体のいずれかが装填されたとき、装填された着脱可能な記録媒体を指定する上記媒体指定情報に関連付けられた第２の領域指定情報により指定された上記着脱不可能な記録媒体上の領域に書き込まれたデータを、当該第２の領域指定情報に関連付けられた第１の領域指定情報により指定された上記装填された着脱可能な記録媒体上の領域に書き込む同期手段をさらに備えていることを特徴とする請求項１に記載のドライブ装置。
【請求項３】
上記着脱不可能な記録媒体からデータを読み出す読出手段をさらに備えており、
上記インターフェースは、上記複数の着脱可能な記録媒体のうちのいずれかを指定する媒体指定情報と、当該媒体指定情報により指定された指定媒体上の領域を指定する第１の領域指定情報とを含む読み出し命令を取得し、
上記読出手段は、上記インターフェースが上記読み出し命令を取得したとき、上記読み出し命令に含まれる上記媒体指定情報および上記第１の領域指定情報に関連付けられた第２の領域指定情報により指定される上記着脱不可能な記録媒体上の領域からデータを読み出すことを特徴とする請求項１または２に記載のドライブ装置。
【請求項４】
請求項１から３のいずれか１項に記載のドライブ装置を備えたコンテンツ記録再生装置であって、上記インターフェースを介して上記書き込み命令をドライブ装置に供給する制御手段を備え、コンテンツを上記着脱可能な記録媒体に記録するコンテンツ記録再生装置。
【請求項５】
上記複数の着脱可能な記録媒体の各々に関連付けて、その着脱可能な記録媒体に記録されているコンテンツを示すタイトル、および、その着脱可能な記録媒体に記録されるべきコンテンツとして上記着脱不可能な記録媒体に記録されているコンテンツを示すタイトルを記録しているタイトル管理部と、
上記複数の着脱可能な記録媒体の何れかが上記ドライブ装置に装填される度に、装填された着脱可能な記録媒体に記録されているコンテンツを示すタイトルのリストを上記ドライブ装置から取得すると共に、取得したリストに含まれるタイトルのうち、上記装填された着脱可能な記録媒体に関連付けて記録されていないタイトルを、上記タイトル管理部に記録するタイトル記録手段と、
を備えていることを特徴とする請求項４に記載のコンテンツ記録再生装置。
【請求項６】
上記タイトル管理部に記録されているタイトルを、表示部に表示する表示手段をさらに備えていることを特徴とする請求項５に記載のコンテンツ記録再生装置。
【請求項７】
上記表示手段は、上記ドライブ装置に装填されていない着脱可能な記録媒体に関連付けて上記タイトル管理部に記録されているタイトルを表示する際に、上記着脱不可能な記録媒体に記録されているコンテンツを示すタイトルを他のタイトルと異なる表示形式で上記表示部に表示することを特徴とする請求項６に記載のコンテンツ記録再生装置。
【請求項８】
上記表示手段は、上記ドライブ装置に装填されていない着脱可能な記録媒体に関連付けて上記タイトル管理部に記録されているタイトルを表示する際に、その着脱可能な記録媒体に記録されるべきコンテンツを示すタイトルを他のタイトルと異なる表示形式で上記表示部に表示することを特徴とする請求項６または７に記載のコンテンツ記録再生装置。
【請求項９】
上記タイトル管理部に記録されているタイトルのうち、上記着脱不可能な記録媒体に記録されているコンテンツを示すタイトルに対しては、当該タイトルにより示されるコンテンツをダビングすることができる回数を示すダビング情報が関連付けて記録されており、
上記表示手段は、上記タイトルと共に上記ダビング情報を表示することを特徴とする請求項６から８のいずれか１項に記載のコンテンツ記録再生装置。
【請求項１０】
着脱不可能な記録媒体を備えると共に、着脱可能な記録媒体を装填可能なドライブ装置におけるデータ書き込み方法であって、
複数の着脱可能な記録媒体のいずれかを指定する媒体指定情報および当該媒体指定情報により指定された指定媒体上の領域を指定する第１の領域指定情報とを含む書き込み命令を、上記第１の領域指定情報により指定された指定領域上に書き込むべきデータと共に取得するインターフェースが上記書き込み命令を取得したとき、上記着脱不可能な記録媒体に上記データを書き込む書込ステップと、
上記書込ステップにおいて上記データが書き込まれた上記着脱不可能な記録媒体上の領域を指定する第２の領域指定情報を、上記媒体指定情報および上記第１の領域指定情報に関連付けて上記着脱不可能な記録媒体に記録する記録ステップと、
を含むことを特徴とするデータ書き込み方法。
【請求項１１】
請求項１から３のいずれか１項に記載のドライブ装置を動作させるためのプログラムであって、コンピュータを上記ドライブ装置が備えている上記の各手段として機能させることを特徴とするプログラム。
【請求項１２】
請求項４から９のいずれか１項に記載のコンテンツ記録再生装置を動作させるためのプログラムであって、コンピュータを上記コンテンツ記録再生装置が備えている上記の各手段として機能させることを特徴とするプログラム。
【請求項１３】
請求項１１または１２に記載のプログラムを記録したコンピュータ読み取り可能な記録媒体。
【発明の詳細な説明】
【技術分野】
【０００１】
本発明は、着脱不可能な記録媒体を備えると共に、着脱可能な記録媒体を装填可能なドライブ装置、当該ドライブ装置におけるデータ書き込み方法、および当該ドライブ装置を備えたコンテンツ記録再生装置に関する。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。【０００３】
ＢＤを初めとする光ディスクを搭載することができるレコーダ装置は、光ディスクよりもさらに大容量のデータを記録することができるハードディスクを内蔵するタイプ（ハイブリッドレコーダ）と、そのようなハードディスクを備えていないタイプ（ストレートレコーダ）とに大別することができる。【０００４】
ストレートレコーダは、録画したコンテンツ（番組）をそのレコーダ装置に装填されている光ディスクに対して記録するため、ビデオデッキなどの従前のレコーダ装置と同様の操作方法でレコーダ装置を操作することができる。しかし、光ディスクが装填されていない場合および装填されている光ディスクのデータ容量が不足している場合には、コンテンツを記録することができないため、コンテンツの記録失敗が多くなる。また、ハードディスクと比較してデータの読み出し速度および書き込み速度が劣る光ディスクを用いるため、ユーザーが操作レスポンスにストレスを感じやすい。【０００５】
ハイブリッドレコーダ（例えば、特許文献１および２）では、光ディスクと比較してデータの読み出し速度および書き込み速度が速いハードディスクを使用した録画および再生が可能であり、ユーザーは操作レスポンスにストレスを感じることは少ない。すなわち、ハイブリッドレコーダでは、上述したストレートレコーダの有する問題点を解決している。【０００６】
しかし、高齢者などのハイブリッドレコーダに不慣れなユーザーにとっては、コンテンツ（番組）がハードディスクに対して記録されるという概念が判り難いため、ハイブリッドレコーダの操作方法が理解できないことが多い。また、他装置においてコンテンツを再生する場合には、ハードディスクに記録されているコンテンツを光ディスクにコピーするという処理が生じる。この場合、ユーザーがコンテンツを記録する光ディスクを選択してレコーダ装置に装填する必要があるため、ユーザーの意図しない光ディスクに対してコンテンツを記録してしまうなどのミスが生じるという問題を有している。【０００７】
特許文献３には、指定の光ディスクが装填されていないときには、コンテンツをハードディスク（ＨＤ）に記録しておき、指定の光ディスクがドライブに装填されたときに、ＨＤに記録しておいたコンテンツを指定の光ディスクにダビングするハイブリッドレコーダ装置が開示されている。
【先行技術文献】
【特許文献】
【０００８】
【特許文献１】日本国公開特許公報「特開２００７−２３４１３７号公報」（平成１９年９月１３日公開）
【特許文献２】日本国公開特許公報「特開２００５−５０３９５号公報」（平成１７年２月２４日公開）
【特許文献３】日本国公表特許公報「特表２００７−５１７３４４号公報」（平成１９年６月２８日公表）
【発明の概要】
【発明が解決しようとする課題】
【０００９】
特許文献３に記載のハイブリッドレコーダ装置によれば、指定された光ディスクが装填されているか否かに係わらず予約録画を実行することができる。しかしながら、指定された光ディスクが装填されていなければ、指定された光ディスクに対して予約録画以外の処理を実行することはできない。【００１０】
ハイブリッドレコーダ装置では、ＨＤに記録されているコンテンツに対してはＨＤのファイルシステムを参照し、装填されている光ディスクに記録されているコンテンツに対しては装填されている光ディスクのファイルシステムを参照する。装填されている光ディスクのファイルシステムは、その光ディスクが光ディスクドライブから取り出されるときに削除されるため、ハイブリッドレコーダ装置は、光ディスクが装填されていないときにその光ディスクのファイルシステムを参照することができなくなる。【００１１】
そのため、特許文献３に記載されているハイブリッドレコーダ装置では、光ディスクが装填されていないときには、光ディスクのファイルシステムを参照して光ディスクに記録されているコンテンツに対してアクセスすることができない。つまり、あるコンテンツをある光ディスクに書き込むべきコンテンツとしてハードディスクに記録しておくことはできても、その光ディスクが装填されるまでは、そのコンテンツをその光ディスク上のファイルシステムの構成要素として処理することができない。例えば、その光ディスクが装填されるまでは、光ディスク上のファイルシステムにおいてそのコンテンツを格納するディレクトリを決めることはできない。【００１２】
また、特許文献３に記載されているハイブリッドレコーダ装置では、光ディスクが装填されていないときには光ディスクに記録されているコンテンツを確認することもできない。特に、光ディスクドライブでは、ハードディスクとは異なり、記録媒体（光ディスク）を取り出すことができるため、光ディスクには、他の装置において記録されたコンテンツが記録されている可能性もある。このような他装置において記録されたコンテンツを確認するためには、光ディスクを光ディスクドライブに装填するという煩雑な処理が必要となる。また、光ディスクが装填されるまでは、その光ディスクにどれだけの空き容量があるかを特定することもできないため、その光ディスクに書き込みきれない大きなコンテンツを、その光ディスクに書き込むべきコンテンツとしてハードディスクに記録してしまうなどの問題も生じ得る。【００１３】
本発明は、上記問題点に鑑みてなされたものであり、その主たる目的は、着脱可能な記録媒体が装填されていない場合であっても、あたかも着脱可能な記録媒体が装填されているかのごとくデータを処理することができるドライブ装置を提供する。【００１４】
また、ドライブ装置に対する着脱可能な記録媒体の装填の有無に関わらず、着脱可能な記録媒体に記録されているコンテンツを示すタイトルを確認することができるコンテンツ記録再生装置についても併せて提供する。
【課題を解決するための手段】
【００１５】
本発明に係るドライブ装置では、上記課題を解決するために、
着脱不可能な記録媒体と、
複数の着脱可能な記録媒体のいずれかを指定する媒体指定情報および当該媒体指定情報により指定された指定媒体上の領域を指定する第１の領域指定情報とを含む書き込み命令を、上記第１の領域指定情報により指定された指定領域上に書き込むべきデータと共に取得するインターフェースと、
上記インターフェースが上記書き込み命令を取得したとき、上記着脱不可能な記録媒体に上記データを書き込む書込手段と、
上記書込手段により上記データが書き込まれた上記着脱不可能な記録媒体上の領域を指定する第２の領域指定情報を、上記媒体指定情報および上記第１の領域指定情報に関連付けて上記着脱不可能な記録媒体に記録する記録手段と、
を備えていることを特徴としている。【００１６】
本発明に係るドライブ装置では、複数の着脱可能な記録媒体のいずれかを指定する媒体指定情報と、媒体指定情報により指定された指定媒体上の領域を指定する第１の領域指定情報とを含む書き込み命令と共に第１の領域指定情報により指定された指定領域上に書き込むべきデータを取得したとき、着脱不可能な記録媒体にデータを書き込むと共に、データが書き込まれた着脱不可能な記録媒体上の領域を指定する第２の領域指定情報を、媒体指定情報および第１の領域指定情報に関連付けて着脱不可能な記録媒体に記録する。【００１７】
すなわち、本発明に係るドライブ装置は、データを着脱不可能な記録媒体に書き込むと共に、媒体指定情報により指定された指定媒体が装填されたときに着脱不可能な記録媒体に書き込んだデータを指定媒体上の領域のいずれに書き込むべきであるのかを示す情報を有している。【００１８】
このように、本発明に係るドライブ装置では、着脱不可能な記録媒体に書き込んだデータを指定媒体上の領域のいずれに書き込むべきであるのかを示す情報を参照することにより、指定媒体に対するアクセスを着脱不可能な記録媒体に対するアクセスに読み換えることができる。これによって、本発明に係るドライブ装置では、媒体指定情報により指定された指定媒体が装填されていない場合であっても、あたかも指定媒体が装填されているかのごとくデータを処理することができる効果を奏する。つまり、複数の着脱可能な記録媒体が常にあたかも装填されているかのごとくデータを処理することができる効果を奏する。【００１９】
本発明に係るデータ書き込み方法は、上記課題を解決するために、
着脱不可能な記録媒体を備えると共に、着脱可能な記録媒体を装填可能なドライブ装置におけるデータ書き込み方法であって、
複数の着脱可能な記録媒体のいずれかを指定する媒体指定情報および当該媒体指定情報により指定された指定媒体上の領域を指定する第１の領域指定情報とを含む書き込み命令を、上記第１の領域指定情報により指定された指定領域上に書き込むべきデータと共に取得するインターフェースが上記書き込み命令を取得したとき、上記着脱不可能な記録媒体に上記データを書き込む書込ステップと、
上記書込ステップにおいて上記データが書き込まれた上記着脱不可能な記録媒体上の領域を指定する第２の領域指定情報を、上記媒体指定情報および上記第１の領域指定情報に関連付けて上記着脱不可能な記録媒体に記録する記録ステップと、
を含むことを特徴としている。【００２０】
上記の構成によれば、本発明に係るドライブ装置と同様の作用効果を奏する。
【発明の効果】
【００２１】
以上説明したように、本発明に係るドライブ装置では、複数の着脱可能な記録媒体のいずれかを指定する媒体指定情報と、媒体指定情報により指定された指定媒体上の領域を指定する第１の領域指定情報とを含む書き込み命令と共に第１の領域指定情報により指定された指定領域上に書き込むべきデータを取得したとき、着脱不可能な記録媒体にデータを書き込むと共に、データが書き込まれた着脱不可能な記録媒体上の領域を指定する第２の領域指定情報を、媒体指定情報および第１の領域指定情報に関連付けて着脱不可能な記録媒体に記録する。【００２２】
これによって、本発明に係るドライブ装置では、媒体指定情報により指定された指定媒体が装填されていない場合であっても、あたかも指定媒体が装填されているかのごとくデータを処理することができる効果を奏する。つまり、本発明に係るドライブ装置では、あたかも、複数の着脱不可能な記録媒体が常に装填されているかのごとくデータを処理することができる効果を奏する。
【図面の簡単な説明】
【００２３】
【図１】実施形態に係るレコーダ装置の要部構成を示すブロック図である。
【図２】ドライブ部に備えられた記憶部の初期化処理を示す図であり、（ａ）は記憶部の初期化の際の表示装置における表示の一例を示し、（ｂ）は初期化処理後の記憶部を模式的に示している。
【図３】光ディスクの登録処理を示す図であり、（ａ）は光ディスクの登録処理の際の表示装置における表示の一例を示し、（ｂ）は光ディスクの登録処理後の記憶部を模式的に示している。
【図４】実施形態に係るレコーダ装置における予約登録処理を示す図であり、（ａ）は予約登録処理後の記憶部の状態を模式的に示し、（ｂ）は予約登録処理後の記憶部およびマイディスクの状態を模式的に示し、（ｃ）は予約登録処理の際の表示装置における表示の一例を示している。
【図５】マイディスクが搭載されている状態での録画処理を示す図であり、（ａ）は録画処理後の記憶部およびマイディスクの状態を模式的に示し、（ｂ）は録画処理後の記憶部の状態を模式的に示している。
【図６】コンテンツ１を録画した際の各記憶部の状態を示す図であり、（ａ）は領域１におけるコンテンツの記録状態に対応するディスク１の記録状態の対応関係を示し、（ｂ）はコンテンツ１を記録した際のマップテーブルを示し、（ｃ）はコンテンツ１を記録した際のタイトル管理テーブルを示している。
【図７】本実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図８】コンテンツ２を録画した際の各記憶部の状態を示す図であり、（ａ）は領域１におけるコンテンツの記録状態に対応するディスク１の記録状態の対応関係を示し、（ｂ）はコンテンツ２を記録した際のマップテーブルを示し、（ｃ）はコンテンツ２を記録した際のタイトル管理テーブルを示している。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示し、（ｂ）はコンテンツ２を同期処理させた際のマップテーブルを示し、（ｃ）はコンテンツ２を同期処理させた際のタイトル管理テーブルを示している。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示し、（ｂ）はコンテンツ２をコンテンツ３に続くように仮想ディスクイメージを変更した状態を示し、（ｃ）はコンテンツ２を同期処理させた際のマップテーブルを示し、（ｄ）はコンテンツ２を同期処理させた際のタイトル管理テーブルを示している。
【図１２】領域１に記録されていたコンテンツ１およびコンテンツ２を削除した後に、新たにコンテンツ４を録画したときの記憶部およびディスク１の状態を示す図である。
【図１３】コンテンツ４を録画した際の各記憶部の状態を示す図であり、（ａ）は領域１におけるコンテンツの記録状態に対応するディスク１の記録状態の対応関係を示し、（ｂ）はコンテンツ４を記録した際のマップテーブルを示す図であり、（ｃ）はコンテンツ４を記録した際のタイトル管理テーブルを示している。
【図１４】コンテンツ１〜３を記録したディスク１が搭載されている場合の各記憶部の状態を示す図である。
【図１５】マイディスクが搭載されている場合において、再生時にコンテンツが読み出される媒体を模式的に示した図である。
【図１６】ドライブ部に光ディスクが搭載されていない場合の各記憶部の状態を示す図である。
【図１７】マイディスクが搭載されていない場合において、再生時にコンテンツが読み出される媒体を模式的に示した図である。
【図１８】マイディスクが搭載されている場合において、コンテンツが編集される媒体を模式的に示した図である。
【図１９】コンテンツが編集される媒体を模式的に示した図であり、（ａ）はディスク１が搭載されていないときの編集対象となる媒体を示しており、（ｂ）はディスク１が搭載されたときの変更箇所のディスク１への反映を示している。
【図２０】本実施形態に係るレコーダ装置におけるメモリ内コピー処理を示す図であり、（ａ）は、メモリ内コピー処理後の記憶部の状態を示し、（ｂ）はメモリ内コピー処理後の記憶部におけるタイトル管理領域の状態を示している。
【図２１】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２２】表示装置におけるタイトル管理テーブルの情報を模式的に示す図である。
【図２３】実施形態に係るレコーダ装置におけるバックエンド制御部の要部構成を示すブロック図である。
【図２４】ディスク１が搭載されておらず、かつ、同期処理が完了しているコンテンツが領域１に記録されている場合におけるタイトル表示形式を示す図であり、（ａ）は各記憶部およびディスク１の状態を示し、（ｂ）は表示装置におけるタイトルの表示例を示している。
【図２５】ディスク１が搭載されておらず、かつ、同期処理が完了していないコンテンツが領域１に記録されている場合におけるタイトル表示形式を示す図であり、（ａ）は各記憶部およびディスク１の状態を示し、（ｂ）は表示装置におけるタイトルの表示例を示している。
【図２６】ディスク１が搭載されておらず、かつ、ディスク１にのみ記録されているコンテンツがある場合におけるタイトル表示形式を示す図であり、（ａ）は各記憶部およびディスク１の状態を示し、（ｂ）は表示装置におけるタイトルの表示例を示している。
【図２７】ディスク１が搭載されており、かつ、同期処理が完了しているコンテンツが領域１に記録されている場合におけるタイトル表示形式を示す図であり、（ａ）は各記憶部およびディスク１の状態を示し、（ｂ）は表示装置におけるタイトルの表示例を示している。
【図２８】同期処理が完了していないコンテンツが領域１に記録されている場合に、ディスク１を搭載させたときのタイトル表示形式を示す図であり、（ａ）は各記憶部およびディスク１の状態を示す図であり、（ｂ）は表示装置におけるタイトルの表示例を示し、（ｃ）は表示装置における同期処理中のコンテンツを示すタイトルの表示例を示している。
【図２９】ディスク１にのみ記録されているコンテンツがある場合に、ディスク１を搭載させたときのタイトル表示形式を示す図であり、（ａ）は各記憶部およびディスク１の状態を示す図であり、（ｂ）は表示装置におけるタイトルの表示例を示す図である。
【発明を実施するための形態】
【００２４】
本発明に係るレコーダ装置におけるタイトルの表示方法について説明するに先立って、本発明に係るレコーダ装置の構成および当該レコーダ装置の動作の概要を、図１〜図２２を参照して説明する。
【００２５】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなどの着脱可能な記録媒体にデータを書き込むドライブ装置一般に適用することができる。
【００２６】
本発明に係るレコーダ装置の構成および当該レコーダ装置の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００２７】
＜レコーダ装置１００の構成＞
本実施形態に係るレコーダ装置の構成について、図１を参照しつつ以下に説明する。図１は、レコーダ装置１００の要部構成を示すブロック図である。
【００２８】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００２９】
ドライブ部３００は、従来の光ディスクドライブ装置が備えている機能に加え、以下の機能を新規な機能を有している。すなわち、（１）ユーザにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００３０】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００３１】
ドライブ部３００は、図１に示すように、インターフェース部３１０、ドライブ制御部３２０、ディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００３２】
本明細書等では、記憶部３４０における各領域に対して対応付けられた光ディスク、すなわち自身の有するメディアＩＤが記憶部３４０に記録されている光ディスクを「マイディスク」と称する。
【００３３】
バックエンド部２００およびドライブ部３００の備える各部材について、以下に説明する。
【００３４】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００３５】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００３６】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００３７】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００３８】
（バックエンド制御部２４０）
バックエンド制御部２４０は、レコーダ装置１００におけるコンテンツデータの記録および再生全般を制御する。
【００３９】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００４０】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００４１】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００４２】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００４３】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００４４】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００４５】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００４６】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００４７】
インターフェース部３１０は、入力されたデータをインターフェース部２９０を介してバックエンド部２５０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００４８】
なお、本実施形態では、インターフェース部２９０、３１０がＳＡＴＡである場合を例に挙げて説明する。
【００４９】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００５０】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００５１】
インターフェース部２９０、３１０がＡＴＡインターフェースである場合、バックエンド制御部２４０からの書き込み命令および読み出し命令は、ＡＴＡコマンドとなる。
【００５２】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３４０に出力するようにしてもよい。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００５３】
なお、これは書き込み命令に限るものではなく、読み出し命令についても同様である。
【００５４】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００５５】
ディスクドライブ部３３０は、装填されている光ディスクからデータを読み出したり、光ディスク対してデータを書き込んだりするための光ピックアップ部などを備えている。
【００５６】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００５７】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００５８】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２（ａ）および（ｂ）および図３（ａ）および（ｂ）を参照して説明する。レコーダ装置１００における事前設定は、記憶部３４０の初期化処理と、記憶部３４０に対する光ディスクの登録処理の２つに大別することができる。
【００５９】
＜記憶部３４０の初期化処理＞
記憶部３４０の初期化処理について、図２の（ａ）および図２の（ｂ）を参照しつつ説明する。図２の（ａ）および図２の（ｂ）は、記憶部３４０の初期化処理を示す図であり、図２の（ａ）は記憶部３４０の初期化の際の表示装置における表示の一例を示す図であり、図２の（ｂ）は初期化処理後の記憶部３４０を模式的に示す図である。
【００６０】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００６１】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２の（ａ）に示すような画像を表示することが好ましい。
【００６２】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００６３】
図２の（ｂ）は、初期化処理後の記憶部３４０を示している。図２の（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００６４】
管理領域は、図２の（ｂ）に示すように、領域１〜領域ｎを管理するマイディスク管理領域と、マイディスク管理領域を管理するメモリ管理領域と、に分けることができる。
【００６５】
マイディスク管理領域には、領域１〜領域ｎの各領域を管理する管理情報が記録されている。図２の（ｂ）では、便宜上、領域１を管理する管理情報の記録されている領域を「エントリ１」と称し、以下同様に領域２〜ｎを管理する管理情報の記録されている領域をエントリ２〜ｎと称する。
【００６６】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００６７】
「エントリ番号」は、いずれの領域を管理するのかを示す情報である。例えば、エントリ１は、領域１を管理する管理情報であるため、エントリ番号としては「１」を示す情報が記録されている。
【００６８】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００６９】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００７０】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００７１】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００７２】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００７３】
また、メモリ管理領域には、図２の（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００７４】
なお、記憶部３４０を領域１〜領域ｎに仮想的に分割した時に生じる余りの領域を予備領域として活用するようにしてもよい。
【００７５】
＜光ディスクの登録処理＞
次に、記憶部３４０に対する光ディスクの登録処理について、図３の（ａ）および図３の（ｂ）を参照しつつ説明する。図３の（ａ）および図３の（ｂ）は、光ディスクの登録処理を示す図であり、図３の（ａ）は光ディスクの登録処理の際の表示装置における表示の一例を示した図であり、図３の（ｂ）は光ディスクの登録処理後の記憶部３４０を模式的に示した図である。
【００７６】
光ディスクの登録処理とは、記憶部３４０において仮想的に分割されている各領域を管理するエントリに対して、光ディスクのメディアＩＤを記録する処理である。
【００７７】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００７８】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００７９】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００８０】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００８１】
なお、メディアＩＤをエントリに記録する際には、表示装置に図３の（ａ）に示すような画像を表示するようにすることが好ましい。
【００８２】
図３の（ｂ）は、メディアＩＤ「ａａａ」を有する光ディスクをエントリ１に記録した場合における光ディスクの登録後の記憶部３４０の状態を示している。
【００８３】
光ディスクのメディアＩＤをエントリ１に記録した場合、図３の（ｂ）に示すように、光ディスクはエントリ１により管理される領域１に対して対応付けられることになる。
【００８４】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００８５】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００８６】
レコーダ装置１００におけるコンテンツ録画動作について、図４の（ａ）〜（ｃ）〜図１３の（ａ）〜（ｃ）を参照して以下に説明する。なお、ここでは、コンテンツ録画動作として、予約録画処理を例に挙げて説明する。
【００８７】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【００８８】
（予約登録処理）
まず、レコーダ装置１００における予約登録処理について、図４の（ａ）〜（ｃ）を参照しつつ以下に説明する。図４の（ａ）〜（ｃ）は、レコーダ装置１００における予約登録処理を示す図であり、図４の（ａ）は予約登録処理後の記憶部２８０の状態を模式的に示した図であり、図４の（ｂ）は予約登録処理後の記憶部３４０およびマイディスク１の状態を模式的に示した図であり、図４の（ｃ）は予約登録処理の際の表示装置における表示の一例を示した図である。
【００８９】
予約登録処理とは、記憶部２８０および光ディスクに対して予約情報を登録する処理である。予約登録処理については、記憶部３４０の領域１に対応付けられたディスク１を装填している場合を例に挙げて説明する。
【００９０】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４の（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【００９１】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４の（ｂ））。このとき、ディスク１には、既にメディアＩＤは記録されているため、メディアＩＤについては記録しなくてもよい。
【００９２】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【００９３】
図４の（ｃ）には、記憶部３４０の領域１に対応付けられたディスク１を装填している場合に予約登録した際の表示装置に表示する画像の一例を示している。
【００９４】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５の（ａ）および図５の（ｂ）を参照しつつ以下に説明する。図５の（ａ）および図５の（ｂ）は、マイディスクが装填されている状態での録画処理を示す図であり、図５の（ａ）は録画処理後の記憶部３４０およびマイディスク１の状態を模式的に示した図であり、図５の（ｂ）は録画処理後の記憶部２８０の状態を模式的に示した図である。
【００９５】
コンテンツ１の録画が完了すると、図５の（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【００９６】
次に、コンテンツ１を記憶部３４０の領域１およびディスク１に記録した際の記憶部３４０および記憶部２８０の状態について図６の（ａ）〜（ｃ）を参照しつつ以下に説明する。図６の（ａ）〜（ｃ）は、コンテンツ１を録画した際の記憶部３４０および記憶部２８０の状態を示す図であり、図６の（ａ）は記憶部３４０の領域１におけるコンテンツの記録状態に対応するディスク１の記録状態の対応関係を示す図であり、図６の（ｂ）はコンテンツ１を記録した際のマップテーブルを示す図であり、図６の（ｃ）はコンテンツ１を記録した際のタイトル管理テーブルを示す図である。
【００９７】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【００９８】
図６の（ａ）には、記憶部３４０の領域１における仮想ディスクイメージを示している。図６の（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【００９９】
続いて、図６の（ａ）において示した物理アドレスと仮想アドレスとの関連付けを実現するためのマップテーブルについて、図６の（ｂ）を参照しつつ説明する。
【０１００】
マップテーブルは、記憶部３４０のマイディスク管理領域におけるマップ情報として記録されている。マップテーブルは、図６の（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１０１】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１０２】
マップテーブルは、コンテンツ１が領域１に記録されると共に内容が更新される。記憶部３４０の領域１が図６の（ａ）に示す状態である場合のマップテーブルを、図６の（ｂ）に示す。図６の（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１０３】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１０４】
なお、図６の（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１０５】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６の（ｃ）を参照して説明する。なお、タイトル管理領域は、記憶部３４０において仮想的に分割されている領域の数だけ記憶部２８０に設けられている。
【０１０６】
タイトル管理テーブルには、図６の（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１０７】
図６の（ｂ）に示したマップテーブルを設定したときのタイトル管理テーブルの一例を、図６の（ｃ）に示している。このとき、タイトル１における残りダビング回数は、コンテンツ１をディスク１へ記録したため、残り１０回から１回減算されて「９」回となっている。
【０１０８】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７の（ａ）および図７の（ｂ）を参照しつつ以下に説明する。図７の（ａ）および図７の（ｂ）は、レコーダ装置１００においてマイディスクが装填されていない状態での録画処理を示す図であり、図７の（ａ）は録画処理後の記憶部３４０の状態を模式的に示した図であり、図７の（ｂ）は録画処理後の記憶部２８０の状態を模式的に示した図である。
【０１０９】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３２０にディスク１が装填されていないため、バックエンド部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１１０】
コンテンツ２の録画が終了すると、図７の（ｂ）に示すように、バックエンド制御部２４０は記憶部２８０における予約情報管理領域からコンテンツ２の予約録画を示す予約情報を消去する。
【０１１１】
次に、コンテンツ２を記憶部３４０の領域１に記録した際の記憶部３４０および記憶部２８０の状態について図８の（ａ）〜（ｃ）を参照しつつ以下に説明する。図８の（ａ）〜（ｃ）は、コンテンツ２を録画した際の記憶部３４０および記憶部２８０の状態を示す図であり、図８の（ａ）は記憶部３４０の領域１におけるコンテンツの記録状態に対応するディスク１の記録状態の対応関係を示す図であり、図８の（ｂ）はコンテンツ２を記録した際のマップテーブルを示す図であり、図８の（ｃ）はコンテンツ２を記録した際のタイトル管理テーブルを示す図である。
【０１１２】
図８の（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１１３】
コンテンツ２が領域１に記録されると共に、記憶部３４０のエントリ１におけるマップ情報に記録されているマップテーブルも更新される。記憶部３４０の領域１が図８の（ａ）に示す状態のマップテーブルを、図８の（ｂ）に示す。図８の（ｂ）に示すように、図６の（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１１４】
また、図８の（ｃ）には、図８の（ｂ）に示したマップテーブルが設定されたときのタイトル管理テーブルの一例を示している。図８の（ｃ）に示すように、タイトル管理テーブルでは、図６の（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１１５】
（コンテンツの同期処理）
次に、記憶部３４０に記録されたコンテンツであってマイディスクに対して記録されていないコンテンツを、マイディスクに対して記録する同期処理について、図９〜図１１の（ａ）〜（ｄ）を参照して以下に説明する。
【０１１６】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図９）。すなわち、コンテンツ２は同期状態となる。
【０１１７】
ドライブ制御部３２０は、ディスク１に対するコンテンツ２の書き出しが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１１８】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図９）。なお、図９は、コンテンツの同期処理後の記憶部３４０およびディスク１の状態を示す図である。
【０１１９】
次に、記憶部３４０の領域１に記録されているコンテンツ２をディスク１に書き出した際の記憶部３４０および記憶部２８０の状態について図１０の（ａ）〜（ｃ）を参照しつつ以下に説明する。図１０の（ａ）〜（ｃ）は、コンテンツ２を同期処理した際の記憶部３４０および記憶部２８０の状態を示す図であり、図１０の（ａ）は記憶部３４０の領域１におけるコンテンツの記録状態に対応するディスク１の記録状態の対応関係を示す図であり、図１０の（ｂ）はコンテンツ２を同期処理させた際のマップテーブルを示す図であり、図１０の（ｃ）はコンテンツ２を同期処理させた際のタイトル管理テーブルを示す図である。
【０１２０】
図１０の（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１２１】
コンテンツ２の同期処理が完了すると、図１０の（ｂ）に示すように、エントリ１のマップ情報に記録されているマップテーブルの同期フラグが、コンテンツがマイディスクに記録されていることを表す「１」となる。また、図１０の（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１２２】
次に、ディスク１において「０ｘ２５０」を先頭アドレスとするコンテンツ（コンテンツ３）が既に記録されている場合のコンテンツ２の同期処理について、図１１の（ａ）〜（ｄ）を参照して以下に説明する。
【０１２３】
図１１の（ａ）〜（ｄ）は、コンテンツ２を同期処理した際の記憶部３４０および記憶部２８０の状態を示す図であり、図１１の（ａ）は仮想ディスクイメージにおけるコンテンツ２の先頭アドレスを先頭アドレスとするコンテンツ３がディスク１に記録されている状態を示す図であり、図１１の（ｂ）はコンテンツ２をコンテンツ３に続くように仮想ディスクイメージを変更した状態を示す図であり、図１１の（ｃ）はコンテンツ２を同期処理させた際のマップテーブルを示す図であり、図１１の（ｄ）はコンテンツ２を同期処理させた際のタイトル管理テーブルを示す図である。
【０１２４】
図１１の（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１２５】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１２６】
このとき、領域１のマップテーブルについても、図１１の（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１２７】
同様に、図１１の（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１２８】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１２９】
図１２は、領域１に記録されていたコンテンツ１およびコンテンツ２を削除した後に、新たにコンテンツ４を録画したときの記憶部３４０およびディスク１の状態を示す図である。なお、図１２は、マイディスクが装填されている状態での録画のため、コンテンツ４はディスク１に対しても記録されている。
【０１３０】
図１２に示す状態、すなわちコンテンツ１およびコンテンツ２を領域１から削除した後に領域１にコンテンツ４を記録したときの記憶部３４０および記憶部２８０の状態について図１３の（ａ）〜（ｃ）を参照しつつ以下に説明する。図１３の（ａ）〜（ｃ）は、コンテンツ４を録画した際の記憶部３４０および記憶部２８０の状態を示す図であり、図１３の（ａ）は記憶部３４０の領域１におけるコンテンツの記録状態に対応するディスク１の記録状態の対応関係を示す図であり、図１３の（ｂ）はコンテンツ４を記録した際のマップテーブルを示す図であり、図１３の（ｃ）はコンテンツ４を記録した際のタイトル管理テーブルを示す図である。
【０１３１】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１３の（ａ）に示すように、コンテンツ１およびコンテンツ２は、仮想ディスクイメージ上においては消去されることなく残されている。すなわち、図１３の（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１３２】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１３３】
また、図１３の（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１３４】
＜コンテンツ再生動作＞
次に、レコーダ装置１００におけるコンテンツの再生動作について、図１４〜図１７を参照しつつ以下に説明する。
【０１３５】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１３６】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１３７】
（マイディスクが装填されている場合の再生処理）
マイディスクが装填されている場合の再生処理について、図１４および図１５を参照して以下に説明する。図１４は、コンテンツ１〜３を記録したディスク１が装填されている場合の記憶部３４０および記憶部２８０の状態を示す図である。図１５は、マイディスクが装填されている場合において、再生時にコンテンツが読み出される媒体を模式的に示した図である。
【０１３８】
図１４に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１４では、タイトル管理テーブルの詳細については省略して示している。
【０１３９】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１４０】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１４１】
領域１からコンテンツ１を読み出したドライブ制御部３２０は、読み出したコンテンツ１を、インターフェース部３１０を介してバックエンド部２００に出力する。
【０１４２】
このように、読み出しの対象となるコンテンツがマイディスクにも記憶部３４０にも記録されている場合、図１５に示すように、コンテンツは記憶部３４０から読み出される。
【０１４３】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１４４】
ディスク１からコンテンツ３が読み出されると、ドライブ制御部３２０は、読み出したコンテンツ３を、インターフェース部３１０を介してバックエンド部２００に出力する。
【０１４５】
このように、読み出しの対象となるコンテンツが記憶部３４０に記録されていない場合、図１５に示すように、コンテンツはマイディスクから読み出される。
【０１４６】
（マイディスクが装填されていない場合の再生処理）
続いて、マイディスクが装填されていない場合の再生処理について、図１６および図１７を参照して以下に説明する。図１６は、ドライブ部３００に光ディスクが装填されていない場合の記憶部３４０および記憶部２８０の状態を示す図である。図１７は、マイディスクが装填されていない場合において、再生時にコンテンツが読み出される媒体を模式的に示した図である。
【０１４７】
図１６に示すように、記憶部３４０の領域１には、コンテンツ１およびコンテンツ２が記録されている。しかし、図１４の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１６では、図１４と同様に、タイトル管理テーブルの詳細については省略して示している。
【０１４８】
図１６に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１４９】
すなわち、図１７に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１５０】
なお、図１７に示すコンテンツ１の読み出し処理は、マイディスクが装填されている場合におけるコンテンツ１の読み出し処理と同様であるため、ここでは説明を省略する。
【０１５１】
＜コンテンツ編集動作＞
次に、レコーダ装置１００におけるコンテンツの編集動作について、図１８および図１９の（ａ）および図１９の（ｂ）を参照しつつ以下に説明する。
【０１５２】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１５３】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１５４】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１５５】
（マイディスクが装填されている場合の編集処理）
マイディスクが装填されている場合の編集処理について、図１４および図１８を参照して以下に説明する。図１８は、マイディスクが装填されている場合において、コンテンツが編集される媒体を模式的に示した図である。
【０１５６】
図１４に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１４では、タイトル管理テーブルの詳細については省略して示している。
【０１５７】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１５８】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１５９】
このように、データを変更する対象となるコンテンツがマイディスクにも記憶部３４０にも記録されている場合、図１８に示すように、記憶部３４０に記録されているコンテンツのデータが変更されることになる。
【０１６０】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１６１】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１６２】
（マイディスクが装填されていない場合の編集処理）
続いて、マイディスクが装填されていない場合のコンテンツの編集処理について、図１６および図１９の（ａ）および図１９の（ｂ）を参照して以下に説明する。図１９の（ａ）および図１９の（ｂ）は、マイディスクが装填されていない場合において、コンテンツが編集される媒体を模式的に示した図であり、図１９の（ａ）はディスク１が装填されていないときの編集対象となる媒体を示しており、図１９の（ｂ）はディスク１が装填されたときの変更箇所のディスク１への反映を示している。
【０１６３】
図１６に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１６４】
すなわち、図１９の（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１６５】
＜コンテンツコピー動作＞
次に、レコーダ装置１００におけるコンテンツのコピー動作について、図２０の（ａ）および図２０の（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２０の（ａ）および図２０の（ｂ）は、レコーダ装置１００におけるメモリ内コピー処理を示す図であり、図２０の（ａ）は、メモリ内コピー処理後の記憶部３４０の状態を示す図であり、図２０の（ｂ）はメモリ内コピー処理後の記憶部２８０におけるタイトル管理領域の状態を示す図である。
【０１６６】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１６７】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２０の（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１６８】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２０の（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１６９】
なお、図２０の（ａ）に示すように、ディスク２はドライブ部３００に装填されていないため、領域２に記録されているコンテンツ２の同期状態は、未同期を表す情報である。
【０１７０】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１７１】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１７２】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１７３】
ここで、光ディスクのファイルシステムを利用したデータ管理について、図２１の（ａ）〜（ｃ）を参照しつつ以下に説明する。図２１の（ａ）〜（ｃ）は、ファイルシステムを用いたデータ管理を示す図であり、図２１の（ａ）は記憶部２８０に記録されているファイルシステムの一例を示し、図２１の（ｂ）は領域１におけるコンテンツの記録状態に対応するディスク１の記録状態の対応関係を示し、図２１の（ｃ）はファイル毎のマップテーブルを示す図である。
【０１７４】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１７５】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２１の（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１７６】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１７７】
なお、図２１の（ａ）には、ディスク１に関するファイルシステムについてのみ示しているが、記憶部２８０のファイルシステム管理領域には、マイディスクとして登録されているディスクの数だけファイルシステムが記録されている。
【０１７８】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１７９】
さらに、図２１の（ｂ）および図２１の（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１８０】
このように、記憶部３４０に記録されているマップ情報は、本実施形態ではコンテンツごとの配置情報として示しているが、より正確には、図２１の（ｃ）に示すように、領域（ファイル）ごとの配置情報を示すものである。
【０１８１】
また、マイディスクの登録解除の際には、ファイルシステム管理領域に記録されているファイルシステムについても、タイトル管理情報と併せて削除される。
【０１８２】
＜表示装置における表示例＞
最後に、レコーダ装置１００に接続された表示装置におけるコンテンツとタイトルリストに記録されている情報との表示例について、図２２を参照しつつ以下に説明する。図２２は、表示装置５００上でのコンテンツおよびタイトルリストに記録されている情報の表示を概略的に示す図である。
【０１８３】
操作入力部を介してユーザーがタイトルリストの表示をレコーダ装置１００に対して指示すると、表示装置５００では、タイトルリストおよびコンテンツが図２２に示すように表示される。
【０１８４】
すなわち、図２２に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０１８５】
タイトルリスト表示部５２０には、図２２に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０１８６】
図２２では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０１８７】
＜レコーダ装置１００におけるドライブ部３００の利点＞
本実施形態に係るレコーダ装置１００に備えられた光ディスクドライブ装置（ドライブ部３００）は、
着脱不可能な記録媒体（記憶部３４０）と、予め登録された複数の光ディスクのいずれかを指定するディスク指定情報と、当該ディスク指定情報により指定された指定ディスク上の領域を指定する第１の領域指定情報とを含む書き込み命令を、上記第１の領域指定情報により指定された指定領域上に書き込むべきデータと共に取得するインターフェース（インターフェース部３１０）と、上記インターフェースが上記書き込み命令を取得したとき、上記記録媒体に上記データを書き込む書込手段（ドライブ制御部３２０）と、上記書込手段により上記データが書き込まれた上記記録媒体上の領域を指定する第２の領域指定情報を、上記ディスク指定情報および上記第１の領域指定情報に関連付けて上記記録媒体に記録する記録手段（ドライブ制御部３２０）と、を備えた補助記憶装置である。
【０１８８】
すなわち、レコーダ装置１００に備えられたドライブ部３００では、データを記憶部３４０に書き込むと共に、ディスク指定情報により指定された指定ディスクが装填されたときに記憶部３４０に書き込んだデータを指定ディスク上の領域のいずれに書き込むべきであるのかを示すマップテーブルを有している。
【０１８９】
ドライブ部３００では、マップテーブルを参照することにより、指定のマイディスクに対するアクセスを記憶部３４０に対するアクセスに読み換えることができる。これによって、ドライブ部３００では、指定のマイディスクが装填されていない場合であっても、あたかも指定のマイディスクが装填されているかのごとくデータを処理することができる。
【０１９０】
これによって、例えば、マイディスクのうちのディスク１に対してデータを書き込むように書き込み命令があった場合、ドライブ部３００ではディスク１を指定する情報により指定されたディスク１が装填されていない場合であっても、あたかもディスク１に対してデータを書き込んでいるように記憶部３４０の領域１にデータを書き込むことができる。また、データの書き込みを所望するマイディスクに対してのみデータを記録することができる。さらには、指定されたディスク１が装填されていない場合であっても、あたかもディスク１からデータを読み出すように記憶部３４０の領域１からデータを読み出すことができる。
【０１９１】
＜タイトル管理テーブルを用いたタイトル情報の表示＞
ここで、本発明に係るレコーダ装置１００が、記憶部２８０にタイトル管理情報として記録されているタイトル管理テーブルを参照して、ユーザーに対して提供可能なコンテンツを示すタイトルを表示する表示処理について、図２３ならびに図２４の（ａ）および図２４の（ｂ）〜図２９の（ａ）および図２９の（ｂ）を参照しつつ以下に説明する。なお、本項では、記憶部３４０の領域１がメディアＩＤを介してディスク１に一意に対応付けられている場合のタイトル表示を例に挙げて説明する。
【０１９２】
（バックエンド制御部２４０の構成）
レコーダ装置１００においてユーザーに対して提供可能なコンテンツを示すタイトルを表示する表示処理を実現するための要部構成を図２３に示す。図２３は、レコーダ装置１００におけるバックエンド制御部２４０の要部構成を示す機能ブロック図である。なお、図２３では、図１において示した各ブロックのうち、ユーザーに対して提供可能なコンテンツを示すタイトルを表示する表示処理の実現に関連しないブロックについては省略している。また、図１に示す各ブロックと同一のブロックについては、同一の参照符号を付し、その説明を省略する。
【０１９３】
図２３に示すように、バックエンド制御部２４０には、リスト変更部２４１およびリスト表示制御部２４２が備えられている。
【０１９４】
リスト変更部２４１は、ディスク１がライブ部３００に搭載される度に、光ディスクに記録されているコンテンツを示すタイトルが全て、記憶部２８０に記録されているタイトル管理テーブルに登録されているようにタイトル管理テーブルを変更する。
【０１９５】
タイトル管理テーブルの変更の詳細は、例えば、図１１の（ａ）〜図１１の（ｄ）において説明した通りである。すなわち、図１１の（ｂ）に示すように、ディスク１に記録されていて、領域１に記録されていないコンテンツ３が仮想ディスクイメージ上に登録されると、図１１の（ｄ）に示すように、タイトル管理テーブルにおいてもコンテンツ３を示すタイトル３が登録される。言い換えれば、リスト変更部２４は、ディスク１が搭載される度に、領域１に仮想アドレスを割り付けた仮想ディスクイメージに登録されているコンテンツを示すタイトルが全てタイトル管理テーブルに登録される。
【０１９６】
より詳細には、リスト変更部２４１は、ディスク１がドライブ部３００に装填されたときに、ディスク１から取得されたファイルシステムに存在するコンテンツであって、バックエンド部２００に記録されているファイルシステム（直近にディスク１が装填されたときのファイルシステム）に存在しないコンテンツを示すタイトルを、全てタイトル管理テーブルに登録する。
【０１９７】
リスト表示制御部２４２は、ユーザーからのタイトル表示指示を受けると、記憶部２８０に記録されているタイトル管理テーブルを参照して、記憶部３４０および光ディスクに記録されているコンテンツを示すタイトルを表示装置５００に対して指示する。このとき、リスト表示制御部２４２は、ドライブ部３００におけるマイディスクの有無およびタイトル管理テーブルにおける情報を参照して、表示装置５００におけるタイトルの表示スタイルを変更する。タイトルの表示スタイルの詳細については、参照する図面を代えて、下記に詳述する。
【０１９８】
なお、表示装置５００は、レコーダ装置１００を構成する部材ではないが、便宜上、図２３に示している。表示装置５００としては、例えば、液晶テレビおよびプラズマテレビなどを挙げることができる。また、表示装置５００におけるタイトルの表示形式については、図２１において図示した表示形式に従うものとする。ただし、本項ではタイトルの表示形式がより理解し易いように、タイトル表示部５２０において表示されるタイトルのみを模式的に図示するものとする。
【０１９９】
このように、リスト変更部２４１は、ディスク１が搭載される度に、ディスク１に記録されているコンテンツを示すタイトルが全て、記憶部２８０に記録されているタイトル管理テーブルに登録されているように、タイトル管理テーブルを更新する。したがって、記憶部２８０に記録されているタイトル管理テーブルに登録されているタイトルは、記憶部３４０の領域１およびディスク１の少なくともいずれかに記録されているコンテンツを示すタイトルとなる。ディスク１に記録されているコンテンツであっても、ディスク１を搭載することによりユーザーに提供することができるため、タイトル管理テーブルに登録されているタイトルにより示されるコンテンツはいずれも、ユーザーに提供することができるコンテンツである。
【０２００】
したがって、レコーダ装置１００は、ディスク１が搭載されていないときであっても、記憶部２８０におけるディスク１のタイトル管理領域に記録されているタイトル管理テーブルに基づいて、ユーザーに提供することができるコンテンツを把握することができる。
【０２０１】
＜コンテンツの状態に応じたタイトル表示形式の変更＞
次に、表示装置５００におけるタイトルの表示形式の変更について、図２４の（ａ）および図２４の（ｂ）〜図２９の（ａ）および図２９の（ｂ）を参照しつつ以下に説明する。ここで、図２４の（ａ）および図２４の（ｂ）〜図２６の（ａ）および図２６の（ｂ）は、ディスク１がドライブ部３００に搭載されていない場合の表示装置５００における表示例を示す図であり、図２７の（ａ）および図２７の（ｂ）〜図２９の（ａ）および図２９の（ｂ）は、ディスク１がドライブ部３００に搭載されている場合の表示装置５００における表示例を示す図である。
【０２０２】
（ディスク１がドライブ部３００に搭載されていない場合）
先に、ディスク１がドライブ部３００に搭載されていない場合の表示装置５００における表示を、ここで、図２４の（ａ）および図２４の（ｂ）〜図２６の（ａ）および図２６の（ｂ）を参照しつつ説明する。
【０２０３】
（ディスク１および領域１に記録されているコンテンツのタイトル表示形式）
まず、同期処理が完了しているコンテンツが領域１に記録されている場合におけるタイトル表示形式の例を、図２４の（ａ）および図２４の（ｂ）を参照して以下に説明する。図２４の（ａ）および図２４の（ｂ）は、ディスク１が搭載されておらず、かつ、同期処理が完了しているコンテンツが領域１に記録されている場合におけるタイトル表示形式を示す図であり、図２４の（ａ）は記憶部３４０、記憶部２８０およびディスク１の状態を示す図であり、図２４の（ｂ）は表示装置５００におけるタイトルの表示例を示す図である。
【０２０４】
図２４の（ａ）に示すように、領域１には、コンテンツ１およびコンテンツ２が記録されており、いずれもディスク１に対する同期処理が完了している。すなわち、コンテンツ１およびコンテンツ２は、領域１およびディスク１のいずれにも記録されている。したがって、図２４の（ａ）に示すように、記憶部２８０におけるディスク１のタイトル管理領域に記録されているタイトル管理テーブルには、タイトル名として、コンテンツ１を示すタイトル１およびコンテンツ２を示すタイトル２が登録されており、同期状態はいずれも同期済を示す「○」である。なお、コンテンツ１の残りダビング回数は「９」、コンテンツ２の残りダビング回数は「８」とする。
【０２０５】
この場合、リスト表示制御部２４２は、表示装置５００に対して、タイトル１およびタイトル２を半透明形式で表示するように指示する。指示を受けた表示装置５００は、図２４の（ｂ）に示すように、タイトル１およびタイトル２を半透明形式で表示する。
【０２０６】
本明細書等において、「半透明形式」とは、レコーダ装置がコンテンツに対してアクセス（再生および編集）可能であるが、レコーダ装置がコンテンツを編集した場合には記憶部に記録されているコンテンツと光ディスクに記録されているコンテンツとの間にデータの相違が生じることを示す表示である。
【０２０７】
コンテンツ編集動作の項（図１１の（ａ）〜（ｄ））においても述べたように、コンテンツ１を記録したディスク１が搭載されていない状態で領域１に記録されているコンテンツ１を編集した場合、コンテンツ１に対する編集はディスク１に記録されているコンテンツ１に対しては反映されない。したがって、ディスク１を搭載するまで、領域１に記録されているコンテンツ１とディスク１に記録されているコンテンツ１との間にはデータの相違が生じることになる。
【０２０８】
このように、図２４の（ｂ）に示すように、コンテンツ１およびコンテンツ２を半透明形式で表示することによって、コンテンツ１およびコンテンツ２を編集した場合には、領域１に記録されているデータとディスク１に記録されているデータとの間に相違が生じるリスクがあることをユーザーに対して通知（警告）することができる。
【０２０９】
（領域１にのみ記録されているコンテンツのタイトル表示形式）
続いて、同期処理の完了していないコンテンツが領域１に記録されている場合におけるタイトル表示形式の例を、図２５の（ａ）および図２５の（ｂ）を参照して以下に説明する。図２５の（ａ）および図２５の（ｂ）は、ディスク１が搭載されておらず、かつ、同期処理が完了していないコンテンツが領域１に記録されている場合におけるタイトル表示形式を示す図であり、図２５の（ａ）は記憶部３４０、記憶部２８０およびディスク１の状態を示す図であり、図２５の（ｂ）は表示装置５００におけるタイトルの表示例を示す図である。
【０２１０】
図２５の（ａ）に示すように、領域１には、コンテンツ１、コンテンツ２およびコンテンツ３が記録されており、コンテンツ３については、ディスク１に対する同期処理が完了していない。すなわち、コンテンツ３は、領域１にのみ記録されている。なお、コンテンツ１およびコンテンツ２については、ディスク１に対する同期処理が完了している。したがって、図２５の（ａ）に示すように、記憶部２８０におけるディスク１のタイトル管理領域に記録されているタイトル管理テーブルには、タイトル名として、タイトル１、タイトル２およびコンテンツ３を示すタイトル３が登録されており、タイトル３の同期状態は同期処理が完了していないことを示す「×」である。なお、タイトル１およびタイトル２に関しては、図２４の（ａ）と同様であるため説明を省略する。
【０２１１】
この場合、リスト表示制御部２４２は、表示装置５００に対して、タイトル１およびタイトル２を半透明形式で表示するように指示すると共に、タイトル３についてはハイライト形式で表示するように指示する。指示を受けた表示装置５００は、図２５の（ｂ）に示すように、タイトル１およびタイトル２を半透明形式で表示すると共に、タイトル３をハイライト形式で表示する。
【０２１２】
コンテンツ３は同期処理前であるため、コンテンツ３を編集したとしても、ディスク１に対しては編集を反映したコンテンツ３が記録されることになる。そのため、コンテンツ１およびコンテンツ２と異なり、領域１に記録されているコンテンツ３との間にデータの相違が生じることはない。
【０２１３】
ここで、本明細書等において、「ハイライト形式」とは、レコーダ装置がコンテンツに対してアクセス（再生および編集）可能であり、かつ、当該レコーダ装置がコンテンツを編集した場合であっても記憶部に記録されているコンテンツと光ディスクに記録されているコンテンツとの間にデータの相違が生じないことを示す表示である。
【０２１４】
このように、コンテンツ３をハイライト形式で表示することによって、コンテンツ３を編集した場合であっても、領域１に記録されているデータとディスク１に記録されるデータとの間に相違が生じるリスクがないことをユーザーに対して通知することができる。
【０２１５】
（ディスク１にのみ記録されているコンテンツのタイトル表示形式）
続いて、ディスク１にのみ記録されているコンテンツがある場合におけるタイトル表示形式の例を、図２６の（ａ）および図２６の（ｂ）を参照して以下に説明する。図２６の（ａ）および図２６の（ｂ）は、ディスク１が搭載されておらず、かつ、ディスク１にのみ記録されているコンテンツがある場合におけるタイトル表示形式を示す図であり、図２６の（ａ）は記憶部３４０、記憶部２８０およびディスク１の状態を示す図であり、図２６の（ｂ）は表示装置５００におけるタイトルの表示例を示す図である。
【０２１６】
図２６の（ａ）に示すように、領域１には、コンテンツ１、コンテンツ２が記録されており、いずれもディスク１に対する同期処理が完了している。すなわち、コンテンツ１およびコンテンツ２は、領域１およびディスク１のいずれにも記録されている。一方、ディスク１にはコンテンツ１、コンテンツ２およびコンテンツ３が記録されている。したがって、図２６の（ａ）に示すように、記憶部２８０におけるディスク１のタイトル管理領域に記録されているタイトル管理テーブルには、タイトル名として、タイトル１、タイトル２およびタイトル３が登録されており、タイトル３の同期状態および残りダビング回数に関する情報は記録されていない。なお、タイトル１およびタイトル２に関しては、図２４の（ａ）と同様であるため説明を省略する。
【０２１７】
この場合、リスト表示制御部２４２は、表示装置５００に対して、タイトル１およびタイトル２を半透明形式で表示するように指示すると共に、タイトル３については黒塗り形式で表示するように指示する。指示を受けた表示装置５００は、図２６の（ｂ）に示すように、タイトル１およびタイトル２を半透明形式で表示すると共に、タイトル３を黒塗り形式で表示する。本明細書等において、「黒塗り形式」とは、コンテンツに対するアクセス（再生および編集）が不可能であること通知する表示である。
【０２１８】
コンテンツ３は、ディスク１にのみ記録されているコンテンツであるため、ディスク１が搭載されていない状態では、レコーダ装置１００はコンテンツ３に対してアクセスすることができない。ディスク１を搭載していない状態では、ユーザーに提供することができないコンテンツを示すタイトルを黒塗り表示により表示装置５００に表示することによって、アクセスすることができないコンテンツがいずれであるのかをユーザーに対して通知することができると同時に、ディスク１を搭載することによりアクセス可能となることをユーザーに対して通知することができる。
【０２１９】
なお、ディスク１のみに記録されているコンテンツ３は、レコーダ装置１００以外のレコーダ装置において記録したコンテンツであってもよいし、ディスク１に対する同期処理の後、領域１から消去したコンテンツであってもよい。また、コンテンツ３をレコーダ装置１００以外のレコーダ装置において記録した場合には、コンテンツ３を記録させたディスク１をレコーダ装置１００に搭載させたことがあるものとしている。
【０２２０】
（ディスク１がドライブ部３００に搭載されている場合）
次に、ディスク１がドライブ部３００に搭載されている場合の表示装置５００における表示例を、図２７の（ａ）および図２７の（ｂ）〜図２９の（ａ）および図２９の（ｂ）を参照しつつ説明する。
【０２２１】
図２４の（ａ）の状態のレコーダ装置１００に対してディスク１を搭載した場合のタイトル表示形式を図２７の（ａ）および図２７の（ｂ）を参照して説明する。すなわち、図２７の（ａ）および図２７の（ｂ）は、ディスク１が搭載されており、かつ、同期処理が完了しているコンテンツが領域１に記録されている場合におけるタイトル表示形式を示す図であり、図２７の（ａ）は記憶部３４０、記憶部２８０およびディスク１の状態を示す図であり、図２７の（ｂ）は表示装置５００におけるタイトルの表示例を示す図である。
【０２２２】
図２７の（ａ）に示すように、領域１には、コンテンツ１およびコンテンツ２が記録されており、いずれもディスク１に対する同期処理が完了している。すなわち、コンテンツ１およびコンテンツ２は、領域１およびディスク１のいずれにも記録されている。したがって、図２４の（ａ）と同様に、記憶部２８０におけるディスク１のタイトル管理領域に記録されているタイトル管理テーブルには、タイトル１およびタイトル２が登録されており、同期状態はいずれも同期済を示す「○」となる。なお、コンテンツ１の残りダビング回数は「９」、コンテンツ２の残りダビング回数は「８」とする。
【０２２３】
この場合、コンテンツ編集動作の項（図１１の（ａ）〜（ｄ））においても述べたように、コンテンツ１を記録したディスク１が搭載されている状態で領域１に記録されているコンテンツ１を編集した場合、コンテンツ１に対する編集はディスク１に記録されているコンテンツ１に対しても反映される。したがって、領域１に記録されているコンテンツ１とディスク１に記録されているコンテンツ１との間にデータの相違は生じない。したがって、図２７の（ａ）に示す状態の場合、リスト表示制御部２４２は、コンテンツ１およびコンテンツ２をハイライト形式で表示するように表示装置５００に対して指示する。指示を受けた表示装置５００は、図２７の（ｂ）に示すように、タイトル１およびタイトル２をハイライト形式で表示する。
【０２２４】
すなわち、図２４（ｂ）の状態で表示装置５００に表示されている場合にディスク１を搭載すると、表示装置５００では、図２７（ｂ）に示すようにタイトルの表示が変更されることになる。
【０２２５】
図２５の（ａ）の状態のレコーダ装置１００に対してディスク１を搭載した場合のタイトル表示形式を図２８の（ａ）〜（ｃ）を参照して説明する。図２８の（ａ）〜（ｃ）は、同期処理が完了していないコンテンツが領域１に記録されている場合に、ディスク１を搭載させたときのタイトル表示形式を示す図であり、図２８の（ａ）は記憶部３４０、記憶部２８０およびディスク１の状態を示す図であり、図２８の（ｂ）は表示装置５００におけるタイトルの表示例を示す図であり、図２８の（ｃ）は表示装置５００における同期処理中のコンテンツを示すタイトルの表示例を示す図である。
【０２２６】
この場合、コンテンツの同期処理の項（図９）においても述べたように、ディスク１を搭載した領域１にのみ記録されているコンテンツ３は、ディスク１に書き出されることになる。したがって、図２８の（ａ）に示すように、記憶部２８０におけるディスク１のタイトル管理領域に記録されているタイトル管理テーブルには、タイトル１、タイトル２およびタイトル３が登録されており、同期状態はいずれも同期処理済であることを示す「○」となる。したがって、表示装置５００では、図２８の（ｂ）に示すように、タイトル１、タイトル２およびタイトル３はいずれもハイライト形式で表示される。
【０２２７】
また、コンテンツ３の同期処理中、すなわちコンテンツ３のディスク１への書き出し中には、図２８の（ｃ）に示すように、コンテンツ３が同期処理中であることを示すような表示とするようにしてもよい。
【０２２８】
なお、図２８の（ａ）〜（ｃ）に示すように、タイトル３の残りダビング回数は、ディスク１に書き出されることにより１０回から１回減算されて残り９回となる。
【０２２９】
最後に、図２６の（ａ）の状態のレコーダ装置１００に対してディスク１を搭載した場合のタイトル表示形式を図２９の（ａ）および図２９の（ｂ）を参照して説明する。図２９の（ａ）および図２９の（ｂ）は、ディスク１にのみ記録されているコンテンツがある場合に、ディスク１を搭載させたときのタイトル表示形式を示す図であり、図２９の（ａ）は記憶部３４０、記憶部２８０およびディスク１の状態を示す図であり、図２９の（ｂ）は表示装置５００におけるタイトルの表示例を示す図である。
【０２３０】
図２９の（ａ）に示すように、コンテンツ１、コンテンツ２およびコンテンツ３は、領域１およびディスク１の少なくともいずれかに記録されているため、いずれのコンテンツに対してもレコーダ装置１００はアクセス可能である。したがって、タイトル管理テーブルに登録されているタイトル１、タイトル２およびタイトル３のいずれも、図２９の（ｂ）に示すように、表示装置５００においてハイライト形式表示されることになる。
【０２３１】
すなわち、図２６の（ｂ）の状態で表示装置５００に表示されている場合にディスク１を搭載すると、表示装置５００では、図２９の（ｂ）に示すようにタイトルの表示が変更されることになる。
【０２３２】
（付記事項）
本実施形態では、タイトルの表示形式を、半透明表示、ハイライト表示および黒塗り表示の３種類で区別する場合を例に挙げて説明しているが、タイトルの表示形式はもちろんこれに限定されるものではなく、ユーザーが容易に識別可能であれば他の表示形式であってもよい。例えば、フォントカラーまたはフォントスタイルを変更するようにしてもよい。
【０２３３】
（プログラムおよび記録媒体）
レコーダ装置１００に含まれているバックエンド制御部２４０およびドライブ制御部３２０は、ハードウェアロジックによって構成すればよい。または、次のように、ＣＰＵ（Central Processing Unit）を用いてソフトウェアによって実現してもよい。
【０２３４】
すなわち、バックエンド制御部２４０およびドライブ制御部３２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２３５】
そして、本発明の目的は、バックエンド制御部２４０およびドライブ制御部３２０のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０２３６】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２３７】
また、バックエンド制御部２４０およびドライブ制御部３２０（またはレコーダ装置１００）を通信ネットワークと接続可能に構成しても、本発明の目的を達成できる。この場合、上記のプログラムコードを、通信ネットワークを介してバックエンド制御部２４０およびドライブ制御部３２０に供給する。この通信ネットワークはバックエンド制御部２４０およびドライブ制御部３２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２３８】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２３９】
（本発明の好ましい形態）
本発明に係るドライブ装置では、さらに、上記複数の着脱可能な記録媒体のいずれかが装填されたとき、装填された着脱可能な記録媒体を指定する上記媒体指定情報に関連付けられた第２の領域指定情報により指定された上記着脱不可能な記録媒体上の領域に書き込まれたデータを、当該第２の領域指定情報に関連付けられた第１の領域指定情報により指定された上記装填された着脱可能な記録媒体上の領域に書き込む同期手段をさらに備えていることが好ましい。
【０２４０】
上記の構成によれば、複数の複数の着脱可能な記録媒体のいずれかが装填されたとき、装填された着脱可能な記録媒体を指定する媒体指定情報に関連付けられた第２の領域指定情報により指定された着脱不可能な記録媒体上の領域に書き込まれたデータを、当該第２の領域指定情報に関連付けられた第１の領域指定情報により指定された領域に書き込む。
【０２４１】
このように、本発明に係るドライブ装置では、媒体指定情報により指定された指定媒体が装填されたときに着脱不可能な記録媒体に書き込んだデータを指定媒体上の領域のいずれに書き込むべきであるのかを示す情報に基づいて、着脱不可能な記録媒体に記録されたデータを指定媒体に対して書き出すことができる。
【０２４２】
これによって、データを書き込む際にデータの記録を所望する着脱可能な記録媒体を装填していない場合であっても、データの書き込みを所望する着脱可能な記録媒体に対してデータを記録することができる効果を奏する。
【０２４３】
本発明に係るドライブ装置では、さらに、上記着脱不可能な記録媒体からデータを読み出す読出手段をさらに備えており、上記インターフェースは、上記複数の着脱可能な記録媒体のうちのいずれかを指定する媒体指定情報と、当該媒体指定情報により指定された指定媒体上の領域を指定する第１の領域指定情報とを含む読み出し命令を取得し、上記読出手段は、上記インターフェースが上記読み出し命令を取得したとき、上記読み出し命令に含まれる上記媒体指定情報および上記第１の領域指定情報に関連付けられた第２の領域指定情報により指定される上記着脱不可能な記録媒体上の領域からデータを読み出すことが好ましい。
【０２４４】
上記の構成によれば、媒体指定情報により指定された指定媒体が装填されていない場合であっても、あたかも指定媒体が装填されているかのごとく着脱不可能な記録媒体に記録されているデータを読み出すことができる効果を奏する。
【０２４５】
上記ドライブ装置を備えたコンテンツ記録再生装置であって、上記インターフェースを介して上記書き込み命令を上記ドライブ装置に供給することにより、コンテンツを上記着脱可能な記録媒体に記録するコンテンツ記録再生装置も本発明の範疇に含まれる。
【０２４６】
本発明に係るコンテンツ記録再生装置では、さらに、上記複数の着脱可能な記録媒体の各々に関連付けて、その着脱可能な記録媒体に記録されているコンテンツを示すタイトル、および、その着脱可能な記録媒体に記録されるべきコンテンツとして上記着脱不可能な記録媒体に記録されているコンテンツを示すタイトルを記録しているタイトル管理部と、上記複数の着脱可能な記録媒体の何れかが上記ドライブ装置に装填される度に、装填された着脱可能な記録媒体に記録されているコンテンツを示すタイトルのリストを上記ドライブ装置から取得すると共に、取得したリストに含まれるタイトルのうち、上記装填された着脱可能な記録媒体に関連付けて記録されていないタイトルを、上記タイトル管理部に記録するタイトル記録手段と、を備えていることが好ましい。
【０２４７】
上記の構成によれば、複数の着脱可能な記録媒体のうちのある着脱可能な記録媒体がドライブ装置に装填される度に、装填されたある着脱可能な記録媒体に記録されているコンテンツを示すタイトルのリストをドライブ装置から取得すると共に、取得したリストに含まれるタイトルのうち、ある着脱可能な記録媒体を指定する媒体指定情報に関連付けて記録されていないタイトルを、タイトル管理部に記録する。
【０２４８】
すなわち、タイトル管理部には、複数の着脱可能な記録媒体において直近に装填したときに記録されていたコンテンツを示すタイトルが常に記録されていることになる。
【０２４９】
これによって、タイトル管理部においてタイトルの記録されている複数の着脱可能な記録媒体であれば、その着脱可能な記録媒体を装填していない場合であっても、コンテンツ記録再生装置では、直近にドライブ装置に装填したときに記録されていたコンテンツを示すタイトルを把握しておくことができる効果を奏する。
【０２５０】
本発明に係るコンテンツ記録再生装置では、さらに、上記タイトル管理部に記録されているタイトルを、表示部に表示する表示手段を備えていることが好ましい。
【０２５１】
上記の構成によれば、媒体指定情報により指定された指定媒体がドライブ装置に装填されていないときであっても、指定媒体に記録されているコンテンツを示すタイトルを表示することができる。
【０２５２】
これによって、ユーザーは、タイトル管理部においてタイトルの記録されている複数の着脱可能な記録媒体であれば、その着脱可能な記録媒体を装填することなく、その着脱可能な記録媒体に記録されているコンテンツを示すタイトルを確認することができる効果を奏する。
【０２５３】
本発明に係るコンテンツ記録再生装置では、さらに、上記表示手段は、上記ドライブ装置に装填されていない着脱可能な記録媒体に関連付けて上記タイトル管理部に記録されているタイトルを表示する際に、上記着脱不可能な記録媒体に記録されているコンテンツを示すタイトルを他のタイトルと異なる表示形式で上記表示部に表示することが好ましい。
【０２５４】
上記の構成によれば、ドライブ装置に装填されていない着脱可能な記録媒体に関連付けてタイトル管理部に記録されているタイトルを表示する際に、着脱不可能な記録媒体に記録されているコンテンツを示すタイトルを他のタイトルと異なる表示形式で表示することができる。
【０２５５】
これによって、ユーザーは、着脱可能な記録媒体を装填したときにアクセス可能になるコンテンツを示すタイトルと、着脱可能な記録媒体を装填しない場合であってもアクセス可能であるコンテンツを示すタイトルとを識別することができる。すなわち、ユーザーは、コンテンツを再生するために着脱可能な記録媒体を装填しなければならないコンテンツがいずれであるのかを容易に判断することができる効果を奏する。
【０２５６】
本発明に係るコンテンツ記録再生装置では、さらに、上記表示手段は、上記ドライブ装置に装填されていない着脱可能な記録媒体に関連付けて上記タイトル管理部に記録されているタイトルを表示する際に、その着脱可能な記録媒体に記録されるべきコンテンツを示すタイトルを他のタイトルと異なる表示形式で上記表示部に表示することが好ましい。
【０２５７】
上記の構成によれば、ドライブ装置に装填されていない着脱可能な記録媒体に関連付けてタイトル管理部に記録されているタイトルを表示する際に、その着脱可能な記録媒体に記録されるべきコンテンツを示すタイトルを他のタイトルと異なる表示形式で表示することができる。
【０２５８】
これによって、着脱不可能な記録媒体および着脱可能な記録媒体のいずれにも記録されているコンテンツを編集した場合に、着脱可能な記録媒体に記録されているコンテンツを構成するデータと、着脱不可能な記録媒体に記録されているコンテンツを構成するデータとが一致しなくなるおそれがあることをユーザーに対して通知することができる。すなわち、ユーザーは、コンテンツを編集することにより、着脱不可能な記録媒体に記録されているコンテンツを構成するデータと着脱可能な記録媒体に記録されているコンテンツを構成するデータに不一致が生じる可能性のあるコンテンツを容易に認識することができる効果を奏する。
【０２５９】
本発明に係るコンテンツ記録再生装置では、さらに、上記タイトル管理部に記録されているタイトルのうち、上記着脱不可能な記録媒体に記録されているコンテンツを示すタイトルに対しては、当該タイトルにより示されるコンテンツをダビングすることができる回数を示すダビング情報が関連付けて記録されており、上記表示手段は、上記タイトルと共に上記ダビング情報を表示することが好ましい。
【０２６０】
上記の構成によれば、コンテンツを示すタイトルと共に、そのコンテンツをダビングすることができる回数を表示することができる。これによって、ユーザーはコンテンツをダビングすることができる回数を容易に確認することができる効果を奏する。
【０２６１】
なお、本明細書等における「ダビング」とは、元データを残したまま、新しいデータを複製するコピーと、元データを削除して新しいデータを作製するムーブの双方を意味している。
【０２６２】
また、本発明に係るドライブ装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。さらに、本発明に係るコンテンツ記録再生装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。
【０２６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６４】
本発明に係るドライブ装置は、ＢＤドライブ、ＤＶＤドライブまたはＣＤドライブとして好適に利用することができる。本発明に係るコンテンツ記録再生装置は、ＢＤレコーダまたはＤＶＤレコーダとして好適に利用することができる。また、本発明に係るコンテンツ記録再生装置は、テレビジョン受像機に搭載する場合であっても好適に利用することができる。
【符号の説明】
【０２６５】
１００      レコーダ装置（コンテンツ記録再生装置）
２００      バックエンド部
２１０      チューナー部
２２０      エンコーダ部
２３０      ストリーム処理部
２４０      バックエンド制御部（制御手段）
２４１      リスト変更部（タイトル記録手段）
２４２      リスト表示制御部（表示手段）
２５０      バッファ部
２６０      デコーダ部
２７０      画像処理部
２８０      記憶部（タイトル管理部）
２９０      インターフェース部
３００      ドライブ部（ドライブ装置）
３１０      インターフェース部
３２０      ドライブ制御部（書込手段、記録手段、同期手段、読出手段）
３３０      ディスクドライブ部
３４０      記憶部（着脱不可能な記録媒体）
５００      表示装置（表示部）
【図１】
2010113481.tif 000003
【図２】
2010113481.tif 000004
【図３】
2010113481.tif 000005
【図４】
2010113481.tif 000006
【図５】
2010113481.tif 000007
【図６】
2010113481.tif 000008
【図７】
2010113481.tif 000009
【図８】
2010113481.tif 000010
【図９】
2010113481.tif 000011
【図１０】
2010113481.tif 000012
【図１１】
2010113481.tif 000013
【図１２】
2010113481.tif 000014
【図１３】
2010113481.tif 000015
【図１４】
2010113481.tif 000016
【図１５】
2010113481.tif 000017
【図１６】
2010113481.tif 000018
【図１７】
2010113481.tif 000019
【図１８】
2010113481.tif 000020
【図１９】
2010113481.tif 000021
【図２０】
2010113481.tif 000022
【図２１】
2010113481.tif 000023
【図２２】
2010113481.tif 000024
【図２３】
2010113481.tif 000025
【図２４】
2010113481.tif 000026
【図２５】
2010113481.tif 000027
【図２６】
2010113481.tif 000028
【図２７】
2010113481.tif 000029
【図２８】
2010113481.tif 000030
【図２９】
2010113481.tif 000031
【国際調査報告】
2010113481.tif 000032
2010113481.tif 000033